(57)【要約】【課題】ＨＤＤとＤＶＤレコーダーを搭載しているディスク記録再生装置に、一部の制御回路と制御用ソフトの修正にみでＨＤＤの特定の重要データをＤＶＤレコーダ（又はユーザー毎のＤＶＤディスク）に自動的にバックアップさせること。【解決手段】ＨＤＤ３とＤＶＤレコーダー４とを備えてディジタルデータを記録再生するディスク記録再生装置であって、ＨＤＤとＤＶＤレコーダーを制御するディスク制御回路２と、ＣＰＵ及び外部インターフェース及びメモリを有する演算装置１と、ＨＤＤ内のデータ情報及びファイル管理情報からなるファイルシステムと、を備え、ＨＤＤ３から特定のファイルを読み出す場合、ディスク制御回路２はファイルシステムからの情報に基づいて特定のファイルのアクセス回数が一定の回数に達したことを検知し、検知によって演算装置１はＨＤＤ３に記録された特定のファイルのデータをＤＶＤレコーダー４にバックアップする。【選択図】図１
2006209848.tif 000002
【特許請求の範囲】
【請求項１】
複数のディスク状記録媒体を備えてディジタルデータを記録再生するディスク記録再生装置であって、
第１のディスク状記録媒体と、前記第１のディスク状記録媒体より容量の小さな第２のディスク状記録媒体と、前記第１と第２のディスク状記録媒体を制御するディスク制御回路と、ＣＰＵ及び外部とのインターフェース及びメモリを有する演算装置と、前記第１のディスク状記録媒体に内蔵されたデータ情報及びファイル管理情報からなるファイルシステムと、を備え、
前記演算装置の求めに応じて前記第１のディスク状記録媒体から特定のファイルを読み出す場合、前記ディスク制御回路は前記ファイルシステムからの情報に基づいて前記特定のファイルのアクセス回数が一定の回数に達したことを検知し、
前記検知によって前記演算装置は前記第１のディスク状記録媒体に記録された前記特定のファイルのデータを前記第２のディスク状記録媒体にバックアップする
ことを特徴とするディスク記録再生装置。
【請求項２】
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めに応じて前記ＨＤＤから特定のファイルを読み出す場合、前記ディスク制御回路は前記ファイルシステムからの情報に基づいて前記特定のファイルのアクセス回数が一定の回数に達したことを検知し、
前記検知によって前記演算装置は前記ＨＤＤに記録された前記特定のファイルのデータを前記ＤＶＤレコーダーにバックアップする
ことを特徴とするディスク記録再生装置。
【請求項３】
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めによって前記ＨＤＤにファイルを書き込む場合、前記ディスク制御回路は前記ファイルシステムからの情報に基づいて前記書き込まれたファイルが設定された所定時間以降に書き込まれたことを検知し、
前記検知によって前記演算装置は前記ＨＤＤに記録された前記設定された所定時間以降に書き込まれたファイルのデータを前記ＤＶＤレコーダーにバックアップする
ことを特徴とするディスク記録再生装置。
【請求項４】
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めに応じて前記ＨＤＤから特定のファイルを読み出す場合、前記ディスク制御回路は、ユーザー毎に使用するバックアップ用のＤＶＤディスクが挿入されていると判定した際に、前記ファイルシステムからの情報に基づいて前記特定のファイルのアクセス回数が一定の回数に達したことを検知し、
前記検知によって前記演算装置は前記ＨＤＤに記録された前記特定のファイルのデータをユーザー毎の各バックアップ用のＤＶＤディスクに記録する
ことを特徴とするディスク記録再生装置。
【請求項５】
請求項４において、
前記演算装置は、ユーザー毎にバックアップしたいファイルを予め特定しておき、前記予め特定したファイル名を前記ディスク制御装置に知らせることによって、前記ＨＤＤに記録された前記特定のファイルのデータをユーザー毎の各バックアップ用のＤＶＤディスクに記録する
ことを特徴とするディスク記録再生装置。
【請求項６】
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置がディジタルデータに所定の信号処理を行って前記ＨＤＤに記録する場合、前記ディスク制御回路は、特定のファイルにおける前記ディジタルデータの記録ビットレートが予め設定した値以上であることを検知し、
前記検知によって前記演算装置は前記ＨＤＤに記録される前記特定のファイルのデータを前記ＤＶＤレコーダーにバックアップする
ことを特徴とするディスク記録再生装置。
【請求項７】
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置がディジタルデータに所定の信号処理を行って前記ＨＤＤに記録する場合、前記ディスク制御回路は、特定のファイルにおける前記ディジタルデータの圧縮率が予め設定した値以下であることを検知し、
前記検知によって前記演算装置は前記ＨＤＤに記録される前記特定のファイルのデータを前記ＤＶＤレコーダーにバックアップする
ことを特徴とするディスク記録再生装置。
【請求項８】
請求項１ないし５のいずれか１つの請求項に記載のディスク記録再生装置を使用するパソコン。
【請求項９】
請求項５又は６に記載のディスク記録再生装置を使用するＨＤＤ・ＤＶＤレコーダ。
【発明の詳細な説明】
【技術分野】
【０００１】
本発明は、ＨＤＤ及び光ディスク、光磁気ディスク等のディスク状記憶媒体を備えて、ＨＤＤ及びディスク状記憶媒体にデータを記録再生可能なディスク記録再生装置に関する。
【背景技術】
【０００２】
民生用のマイクロコンピュータ（以下、マイコンと記す）には通常半導体メモリの他に主記憶装置としてハードディスク（ＨＤＤ）が搭載されているが、近年、マイコン用のリムーバブルディスクとして、フロッピイディスクやＣＤ−Ｒ，ＣＤ−ＲＷの他に、大量のデータのバックアップや映像・音声信号を記録するためにディジタルデータを記録再生可能なディジタルビデオディスク（ＤＶＤ＿ＲＡＭ、ＤＶＤ−ＲＷ、ＤＶＤ＋ＲＷ規格等が有る）を使用するディジタルビデオディスクレコーダー（以下、「ＤＶＤレコーダー」という場合はディジタルビデオディスクレコーダーを指す）が普及してきた。
【０００３】
しかし、データのバックアップに使用する場合、数１０〜数１００Ｇｂｙｔｅの容量のＨＤＤに対してＤＶＤレコーダーは数Ｇｂｙｔｅの容量しか無いため、ＨＤＤ内の全てのデータをバックアップできない。従って、現状はＨＤＤ内のデータの全部又は一部をユーザーが指示してＤＶＤレコーダーに記録している。
【０００４】
上述した現状に対して、ユーザーが指示しないでデータを自動的にバックアップする方法としてはＨＤＤより容量が小さいＤＶＤメディアを使用するＤＶＤレコーダーでは無く、もう一台同じ容量のＨＤＤを追加して２台のハードディスクに同じデータを記録してデータのバックアップを行なうＲＡＩＤ０（ミラーリング）を行なうのが一般的である。
【発明の開示】
【発明が解決しようとする課題】
【０００５】
しかしながら、上記の従来例のミラーリングにおいては、ＨＤＤが２台必要となり価格がかなりアップすることと、ＯＳやマザーボードによってはＲＡＩＤの基板やＲＡＩＤのソフトが必要でありこれも価格アップにつながり、民生用機器としては課題が残る。
【０００６】
本発明は、上述の課題に鑑み、データのバックアップの自動化のためにＨＤＤやＲＡＩＤの基板やソフトを追加したりせず、ＨＤＤとＤＶＤレコーダーを搭載しているディスク記録再生装置に、一部の制御回路と制御用ソフトの修正のみでＨＤＤの特定の重要データをＤＶＤレコーダ（又は、ユーザー毎のＤＶＤディスク）に自動的にバックアップさせることを目的とする。
【課題を解決するための手段】
【０００７】
前記課題を解決するために、本発明は主として次のような構成を採用する。  
ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めに応じて前記ＨＤＤから特定のファイルを読み出す場合、前記ディスク制御回路は前記ファイルシステムからの情報に基づいて前記特定のファイルのアクセス回数が一定の回数に達したことを検知し、前記検知によって前記演算装置は前記ＨＤＤに記録された前記特定のファイルのデータを前記ＤＶＤレコーダーにバックアップする構成とする。
【０００８】
また、ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めによって前記ＨＤＤにファイルを書き込む場合、前記ディスク制御回路は前記ファイルシステムからの情報に基づいて前記書き込まれたファイルが設定された所定時間以降に書き込まれたことを検知し、前記検知によって前記演算装置は前記ＨＤＤに記録された前記設定された所定時間以降に書き込まれたファイルのデータを前記ＤＶＤレコーダーにバックアップする構成とする。
【０００９】
また、ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置の求めに応じて前記ＨＤＤから特定のファイルを読み出す場合、前記ディスク制御回路は、ユーザー毎に使用するバックアップ用のＤＶＤディスクが挿入されていると判定した際に、前記ファイルシステムからの情報に基づいて前記特定のファイルのアクセス回数が一定の回数に達したことを検知し、前記検知によって前記演算装置は前記ＨＤＤに記録された前記特定のファイルのデータをユーザー毎の各バックアップ用のＤＶＤディスクに記録する構成とする。
【００１０】
また、ハードディスクレコーダー（ＨＤＤ）とＤＶＤレコーダーとを備えてディジタルデータを記録再生するディスク記録再生装置であって、
前記ＨＤＤと前記ＤＶＤレコーダーを制御するディスク制御回路と、ＣＰＵ及び外部とのインターフェース及びメモリを有する演算装置と、前記ＨＤＤに内蔵されたデータ情報及びファイル管理情報からなるファイルシステムと、を備え、
前記演算装置がディジタルデータに所定の信号処理を行って前記ＨＤＤに記録する場合、前記ディスク制御回路は、特定のファイルにおける前記ディジタルデータの記録ビットレート（圧縮率）が予め設定した値以上（以下）であることを検知し、前記検知によって前記演算装置は前記ＨＤＤに記録される前記特定のファイルのデータを前記ＤＶＤレコーダーにバックアップする構成とする。
【発明の効果】
【００１１】
本発明によると、記憶容量が違う２種類のディスク記録再生装置を備えた機器において、容量の大きい方に有るデータのアクセス回数が多い（一定値に達する）ファイルを、自動的に容量の小さい方に記録（バックアップ）することができる。
【００１２】
また、記憶容量が違う２種類のディスク記録再生装置で、容量の大きい方をＨＤＤ、容量の小さい方をＤＶＤレコーダーとすることにより、バックアップするデータを保管する先を変更することが可能となる。
【００１３】
また、ＨＤＤ内の特定のファイルをＤＶＤレコーダーに記録する場合、記録時間が新しいファイルのデータを自動的にバックアップすることができる。
【００１４】
また、ＨＤＤ内の特定のファイルをＤＶＤレコーダーに記録する場合、ユーザー毎にバックアップするＤＶＤを交換して記録することにより、ユーザー毎にバックアップするデータを変えることができる。さらに、ＨＤＤ内の特定のファイルをＤＶＤレコーダーに記録する場合、ユーザーが急にバックアップしたい場合、そのファイルを指定することにより、ユーザーによりバックアップするデータを変えることができる。
【００１５】
また、ＨＤＤに記録するデータの記録ビットレートが高いデータを判定し、ＤＶＤレコーダーに自動的にバックアップすることができる。また、ＨＤＤに記録するデータの圧縮率が低いデータを判定し、ＤＶＤレコーダーに自動的にバックアップすることができる。
【発明を実施するための最良の形態】
【００１６】
本発明の実施形態に係るディスク記録再生装置について、図１〜図４を参照しながら以下詳細に説明する。図１は本発明の実施形態に係るディスク記録再生装置をパソコンに適用する場合の全体構成を示す図である。図２ａは本実施形態に係るディスク記録再生装置内におけるディスク制御回路の第１の構成例を示す図である。
【００１７】
図１において、符号０はパソコンの全体構成を示し、パソコン０は、一時記憶・演算装置１とディスク制御回路２とＨＤＤ３とＤＶＤレコーダー４とデータバス５とを備えている。ここで、パソコン０の主要な機能が含まれる一時記憶・演算装置１は、パソコンのＣＰＵ１０と、電源を切るとデータが失われるがソフトやユーザーデータを一時的に記憶するために必要な大容量のメインメモリ１１と、ＵＳＢ，ＩＥＥＥ１３９４で接続する外部機器とのデータの受け渡しやキーボード、マウスからの入力データを受け取ったり、ＣＲＴや液晶ディスプレイへ画像・音声データを出力するＩ／Ｏ制御回路１２と、から構成される。
【００１８】
符号２は本実施形態の主要な特徴を構成する、ＨＤＤ３とＤＶＤレコーダー４の制御を行なうディスク制御回路の第１の構成例であり、このディスク制御回路２は、図２ａを参照すると、ＤＶＤレコーダー４のＡＴＡＰＩバスをパソコン内部のデータバス５に変換し、挿入したディスクの種類を判別するＤＶＤ Ｉ／Ｆ回路２０と、ＨＤＤ３のＡＴＡバスをパソコン内部のデータバス５に変換し、ファイル管理情報の位置を示す信号を出力するＨＤＤ Ｉ／Ｆ回路２１と、ＤＶＤを挿入した時及び挿入中に機械的なＳＷ又は電気的なセンサにより挿入時及び挿入中が分かる信号を作成するＤＶＤディスク挿入判別回路（一例として、挿入中はＨ（３．３Ｖ）未挿入時はＬ（０Ｖ）となり、ディスク挿入時にＬからＨに変化する）２２と、ＨＤＤ Ｉ／Ｆ回路２１のデータバスへの出力とファイル管理情報の位置を示す信号からＨＤＤ３のファイル管理情報を判別し、データバス５から抜き出して記憶し、ＨＤＤ３からＤＶＤレコーダー４へどのファイルをバックアップするかどうかを決定してＣＰＵ１０にその情報を渡す主制御回路２３と、を備えている。
【００１９】
そして、主制御回路２３は、ＦＡＴ領域データ記憶用メモリ（パソコン０の電源が切れても値を保持する）２３０と、ＤＩＲ領域データ記憶用メモリ（パソコン０の電源が切れても値を保持する）２３１と、ファイル名記憶用メモリ２３２と、更新時間記憶用メモリ２３３と、ファイル更新回数カウンタ・メモリ２３４と、ファイル更新回数カウンタ・メモリ２３４の出力であるファイル名とそのファイルの更新回数とユーザーが設定するバックアップする更新回数の設定値からＤＶＤへバックアップするかどうかの信号を出力するバックアップファイル判定回路２３５と、から構成される。
【００２０】
符号３はＨＤＤであり、ＨＤＤ３は、ディスクの管理情報を記録する管理情報記録領域３０と、ユーザーがデータを自由に記録再生可能なユーザーデータ記録領域３１と、から構成される。符号４はＤＶＤレコーダーである。符号５はパソコン０内部で各モジュールとの相互の接続を行なうデータバスでありデータ以外にも各種制御信号を含む。
【００２１】
なお、図１に示す全体構成は構成的には従来のパソコンとは変わらないが、従来のパソコンは図２ａのディスク制御回路２内にＤＶＤ Ｉ／Ｆ回路２０とＨＤＤ Ｉ／Ｆ回路２１のブロックしか無く、さらに、ＡＴＡＰＩとＡＴＡバスを各々変換してパソコン０の内部のデータバス５に出力する本発明で具備するＤＶＤ Ｉ／Ｆ回路２０とＨＤＤ Ｉ／Ｆ回路２１の一部の機能しか持っていない。
【００２２】
次に、本発明の実施形態に係るディスク記録再生装置における第１の構成例の動作について、図１と図２ａを参照しながら説明するが、まず、本実施形態の概略的な動作を説明すると、ＨＤＤ３内のディスク（ファイル）管理情報記録領域３０内の情報をディスク制御回路２内に一時記憶し、一例としてユーザーが特定のファイルにアクセスする回数がＮ回（一定値であってユーザーがＣＰＵ経由で任意に設定可能）に達すると、ディスク制御回路２がＣＰＵ１０にその情報を知らせ、ＣＰＵ１０がその特定のファイルの内容をＤＶＤ Ｉ／Ｆ回路２０を制御してＤＶＤレコーダー４にバックアップするというものである。
【００２３】
ここで、本実施形態の主要な特徴を示す図２ａの詳細説明を行なう前に、ＨＤＤの一般的動作についての背景説明を図３を用いて説明しておく。図３は本実施形態に関するＨＤＤ上の管理情報とユーザーデータ記録領域との一般的な関係を示す説明図である。
【００２４】
図３の（ａ）はＨＤＤのディスク（プラッタ）を上から見た図であり、円板上のディスクの上にある磁気ヘッド（図示せず）が円周方向と同心円方向（ディスク半径方向）に動いてデジタルデータ（Ｌ又はＨ）の記録再生を行なう。このディスク上にトラックと呼ばれる領域が同心円上にもうけられていて、磁気ヘッドでトラックをなぞっていく。トラックを一定区間（ＨＤＤは５１２ｂｙｔｅ）区切ったものをセクタと呼び、データはセクタ単位で記録再生されていく。
【００２５】
図３の（ｂ）はディスクの中央部の最内周から最外周に行くトラックを連続となるように並べた図で、最内周の最初のセクタにマスターブートレコード（ＭＢＲ）と呼ばれるパソコンの起動やパーテーション（Ｃ，Ｄドライブ等）に関する情報が入っている。ＭＢＲに続くセクタから、ＨＤＤに記録されるファイルの先頭セクタ（ユーザーデータ記録領域内の）のアドレスが記入されているＦＡＴ（Ｆｉｌｅ  Ａｌｌｏｃａｔｉｏｎ  ｔａｂｌｅ）と呼ばれる領域となる（他のファイルシステムとしてＮＴＦＳ等も有るが、一例としてＦＡＴで説明する）。
【００２６】
ＦＡＴ領域の次は、各ファイルの名前、拡張子、更新日時などの詳細情報が記録されているディレクトリエントリと呼ばれるディレクトリ領域となる。ここまでのディスクの最内周部分を管理情報記録領域と呼び、これ以降からディスクの最外周迄をユーザーが自由にデータを記録再生可能なユーザーデータ記録領域と呼んでいる。
【００２７】
一例として、ＨＤＤにあるファイル名「ＡＡＡ．ｔｘｔ」のデータをユーザーデータ記録領域であるＤ１，Ｄ２，Ｄ５０，Ｄ１００セクタに記録する場合、ＦＡＴにはＤ１のセクタＮｏ（ＭＢＲを先頭ナンバーであるＮｏ０とする）が記入されていて、ディレクトリエントリには「ＡＡＡ．ｔｘｔ」の全てのデータの位置のセクタＮｏ（Ｄ１，Ｄ２，Ｄ５０，Ｄ１００）及び「ＡＡＡ．ｔｘｔ」のファイル名、拡張子をＡＳＣＩＩコードに変換した値及びファイルを記録した時点の年月日時分秒の値が記録される。
【００２８】
上述したＦＡＴにおいて、「ファイル名」とそのファイルの先頭がＨＤＤのどのセクタに有るかがわかるが、後述するように、本実施形態ではさらにディレクトリエントリ内の「ファイルを記録した時点の年月日時分秒の値」によりファイルを更新したかどうかを判別できる。
【００２９】
次に、本実施形態に係るディスク記録再生装置における第１の構成例の特徴を示す図２ａを用いて、ＨＤＤ内の特定のファイルとユーザーが設定する自動バックアップする更新回数の設定値に基づいて、ＨＤＤからＤＶＤへ自動的にバックアップする手順（ステップ）について詳細に説明する。
【００３０】
ステップ１として、ＨＤＤ３の電源をＯＮした時にＨＤＤ３とＣＰＵ１０のメインメモリ１１（図１参照）との間でＦＡＴやディレクトリエントリの情報をやり取りするが、その時にＨＤＤ Ｉ／Ｆ回路２１にて、ＦＡＴデータをＦＡＴ領域データ記憶用メモリ２３０、ディレクトリエントリ用データをＤＩＲ領域データ記憶用メモリ２３１に記憶する。
【００３１】
ステップ２として、ＦＡＴ領域データ記憶用メモリ２３０とＤＩＲ領域データ記憶用メモリ２３１のデータから、ファイル名をファイル名記憶用メモリ２３２に、そのファイルを更新した時の時間を更新時間記憶用メモリ２３３に記憶する。なお、更新を含めファイルにアクセスした場合、データがユーザーによる記録再生可能なユーザーデータか管理情報かはＨＤＤ Ｉ／Ｆ回路２１が判別して、記憶用メモリ２３０及び２３１を随時更新していくので、ファイル名記憶用メモリ２３２のファイルの種類が増えたり、既存ファイルを更新した場合もファイル名記憶用メモリ２３２及び更新時間記憶用メモリ２３３は判別できる。
【００３２】
ステップ３として、記憶用メモリ２３２，２３３の出力をファイル更新回数カウンタ・メモリ２３４内にファイル名の種類分の数のカウンタを設けて、更新時間記憶用メモリ２３３の出力を見て該当するファイルが更新される毎にカウントアップしていく。
【００３３】
ステップ４として、ファイル更新回数カウンタ・メモリ２３４はファイル名と更新回数を出力する。ここで、出力ファイル名が「ＡＡＡ．ｔｘｔ」で更新回数が「Ｋａ」とする。この値が次のバックアップファイル判定回路２３５に送られる。
【００３４】
ステップ５として、判定回路２３５には、ステップ４のファイル名と更新回数の他にユーザーが設定してＣＰＵ経由で送られてくる更新回数設定値Ｎも入力されている。判定回路２３５は「Ｋａ＝Ｎ」となった時にＣＰＵ１０へファイル名「ＡＡＡ．ｔｘｔ」とそれをＤＶＤレコーダー４へバックアップすることを知らせる制御信号を送る。
【００３５】
ステップ６として、ＣＰＵ１０はＤＶＤディスク挿入判別回路２２の出力がＨ（ディスク挿入中）であることを確認して、図１のメインメモリ１１内に有るファイル名「ＡＡＡ．ｔｘｔ」のデータをＤＶＤレコーダー４に記録可能なフォーマットに変換して図２ａのＤＶＤ Ｉ／Ｆ回路２０経由でＤＶＤレコーダー４に記録する。
【００３６】
ステップ７として、「ＡＡＡ．ｔｘｔ」で更新回数Ｋａが「Ｋａ＞Ｎ」となった場合もステップ３からステップ６を繰り返す。即ち、「Ｋａ≧Ｎ」ならステップ３からステップ６を繰り返す。
【００３７】
ステップ８として、次に、例えば「ＢＢＢ．ｔｘｔ」のファイルの更新回数Ｋｂも「Ｋｂ≧Ｎ」であれば、ステップ３〜ステップ６と同じようにＤＶＤレコーダー４へバックアップしていく。なお、ＤＶＤレコーダー４内に最初のファイル「ＡＡＡ．ｔｘｔ」をバックアップする時にＤＶＤレコーダー４にバックアップ専用のディレクトリを設けた方が整理するのに都合が良い。
【００３８】
アクセス回数が多いデータは作成中の文書データ等のデータのバックアップが必要な重要なデータと考えられるの、上述のステップのような制御を行なえば、ＨＤＤ３内の重要なデータを自動でＤＶＤレコーダー４にバックアップすることができる。
【００３９】
次に、本発明の実施形態に係るディスク記録再生装置の第２の構成例におけるＨＤＤからＤＶＤレコーダーへの自動バックアップの動作について、図１と図２ｂを参照しながら以下説明する。図２ｂは本実施形態に係るディスク記録再生装置内におけるディスク制御回路の第２の構成例を示す図である。
【００４０】
図２ｂにおいて、ファイル名記憶用メモリ２３２と更新時間記憶用メモリ２３３の出力はバックアップファイル判定回路２３５に直結されている。ユーザーが予めＣＰＵ経由で日時（Ｔ）を設定しておくと、日時（Ｔ）以降に作成されたファイルが更新する毎に全てＤＶＤレコーダーにバックアップを取れるように、判定回路２３５はＣＰＵ１０にバックアップするファイル名を出力し、上述のステップ１〜ステップ８の内ステップ３〜ステップ５の制御を行なわず、代わりに次に示すような制御を行い、ステップ６へ進む。
【００４１】
ステップ３，４，５として、記憶用メモリ２３２と２３３の出力は判定回路２３５に送られる。判定回路２３５にはファイル名と更新日時の他にユーザーが設定してＣＰＵ経由で送られてくる更新日時設定値Ｔも入力されている。
【００４２】
判定回路２３５は、或るファイル「ＡＡＡ．ｔｘｔ」が設定値Ｔより新しかった場合にＣＰＵ１０へファイル名「ＡＡＡ．ｔｘｔ」とそれをＤＶＤレコーダー４へバックアップすることを知らせる制御信号を送る。更新時間が新しいデータも作成中の文書データ等のデータのバックアップが必要な重要なデータと考えられるので、上述のような制御を行なえば、ＨＤＤ３内の重要なデータを自動でＤＶＤにバックアップできる。
【００４３】
次に、本発明の実施形態に係るディスク記録再生装置の第３の構成例におけるＨＤＤからＤＶＤレコーダーへの自動バックアップの動作について、図１と図２ｃを参照しながら以下説明する。図２ｃは本実施形態に係るディスク記録再生装置内におけるディスク制御回路の第３の構成例を示す図である。本実施形態では、パソコンを使用する複数のユーザー毎にバックアップしたいデータは違う可能性が高いので、ユーザー毎に違うバックアップ用のＤＶＤディスクを用いて自動バックアップする場合に対応するものである。
【００４４】
図２ｃにおいて、ＤＶＤ Ｉ／Ｆ回路２０よりバックアップファイル判定回路２３５に、ＤＶＤの特定（例えば、Ｎｏ１のディスクなら「００１」、Ｎｏ２のディスクなら「０１０」、Ｎｏ３のディスクなら「０１１」等）を判別する信号（ＵｓｒＤ）を送る機能を付加した構成が、図２ａと異なるのみで、他の回路は図２ａと同じである。
【００４５】
このＵｓｒＤ信号を用いて、或るユーザーのディスクが挿入されていると判定した場合、ユーザーによってバックアップしたいデータは違う可能性が高いので、バックアップファイル判定回路２３５内にＵｓｒＤ信号の値によりバックアップするファイル名の出力判定をユーザーにより変える（例えば、上記「ＡＡＡ．ｔｘｔ」はＵｓｒＤ信号の値が「００１」のディスクなら出力し、「０１０」及び「０１１」のディスクなら出力しない等）ようにする。
【００４６】
その結果、パソコン０を使用する複数のユーザー毎にバックアップディスクを用意すれば、複数のユーザー（ＤＶＤディスク）毎にＨＤＤ内のデータを自動的にバックアップできる。その場合、ユーザーが自動バックアップしたいファイルを予めＣＰＵ１０に指示する必要が有るのは言うまでも無い。
【００４７】
このように、ＤＶＤディスク（ユーザー）毎にバックアップしたいファイル（データ）を変えることによりＨＤＤのデータを交換可能なＤＶＤにバックアップすることのできる、図２Ｃに示す第３の構成例がユーザーにとってより使い易くなる。この際、ユーザーがバックアップしたいファイルを作成中にそのファイルを即、ＤＶＤレコーダーにバックアップできるようにＣＰＵ経由で指示を追加できるようにプログラムを作成しておけばより使い易くなるのは言うまでも無い。
【００４８】
以上の説明では、本実施形態に係るディスク記録再生装置をＨＤＤ及びＤＶＤレコーダーを内蔵したパーソナルコンピュータ（パソコン）に適用する場合の構成例について説明したが、次に、本実施形態に係るディスク記録再生装置を、最近ＶＴＲの代わりに普及し始めているＨＤＤとＤＶＤを内蔵したＨＤＤ・ＤＶＤレコーダーに適用した構成例について、以下説明する。本実施形態では、ＭＰＥＧ等のデータ圧縮方法によりＨＤＤやＤＶＤに画像・音声データを記録再生するＨＤＤ・ＤＶＤレコーダーの圧縮率に着目し、圧縮率が小さいファイル（データ）は重要なデータと考えて、ＨＤＤからＤＶＤにバックアップするものである。なお、「圧縮率が小さい＝記録ビットレートが高い」ということであるので、以下記録ビットレートを用いて説明する。
【００４９】
図４は本発明の実施形態に係るディスク記録再生装置をＨＤＤ・ＤＶＤレコーダーに適用する場合の全体構成を示す図である。図２ｄは本実施形態に係るディスク記録再生装置内におけるディスク制御回路の第４の構成例を示す図である。次に、ＨＤＤ・ＤＶＤレコーダー内のＨＤＤからＤＶＤレコーダーへ自動バックアップする構成例について、図４と図２ｄを参照しながら以下説明する。
【００５０】
図４は、図１との対比で、パソコン０に代わりにＨＤＤ・ＤＶＤレコーダー０ａとなっていることと、チューナー６が追加になったことと、入力装置がキーボード、マウスの代わりにリモコンに替わったこと、等が異っている。即ち、ＨＤＤ及びＤＶＤレコーダーを内蔵したパソコンとＨＤＤ・ＤＶＤレコーダーは内部の構成としては大部分同様であり、パソコンが汎用的に使用可能で多機能、ＨＤＤ・ＤＶＤレコーダーが単機能という違いが有る。図２ｄに示すディスク制御回路２の第４の構成例は、図２ｂに示す第２の構成例との対比で、ＤＩＲ領域データ記憶用メモリ２３１及び更新時間記憶用メモリ２３３の代わりに、記録ビットレート記憶用メモリ２３６を設けることが異なる構成となっている。本実施形態の動作を図４及び図２ｄを用いて説明する。
【００５１】
ステップ０１として、アンテナからの画像・音声データをチューナー６によりディジタルデータに変換し、ＣＰＵ１０にてディジタルデータの復調・伸長処理を行ない、ＨＤＤ３に記録する場合にディジタルデータ（例えばトランスポートストリーム（ＴＳ））のユーザーデータ記録領域以外の情報領域からＨＤＤ Ｉ／Ｆ回路２１が、データの記録ビットレートの情報を抜き出すための制御信号を出力し、記録ビットレートの情報を記録ビットレート記憶用メモリ２３６に記録ビットレートの数値（一般的に、１〜１５Ｍｂｉｔ／ｓｅｃ程度）として記憶する。
【００５２】
ステップ０２として、記録ビットレートの出力（Ｙ）とファイル名記憶用メモリ２３２の出力「ＣＣＣ．ｄａｔ」とユーザーがＣＰＵ１０経由で設定する記録ビットレートの値（Ｘ Ｍｂｉｔ／ｓｅｃ）とを比較して、バックアップ判定回路２３５は、「Ｙ≧Ｘ」の場合にＣＰＵ１０へファイル名「ＣＣＣ．ｄａｔ」とそれをＤＶＤレコーダーへバックアップすることを知らせる制御信号を送る。
【００５３】
ステップ０３として、ここで、チューナー６からのディジタルデータをＨＤＤ３に記録する場合にはメインメモリ１１（図４参照）に一旦データを蓄えているため、ＣＰＵ１０がＨＤＤ３に記録する時に、バックアップの通知用の制御信号がディスク制御回路２から来ている場合、ＤＶＤ Ｉ／Ｆ２０経由でＤＶＤレコーダー４にも「ＣＣＣ．ｄａｔ」を同時に記録していく。
【００５４】
ステップ０４として、その場合、ＣＰＵ１０はＤＶＤディスク挿入判別回路２２の出力がＨ（ディスク挿入中）であることを確認して、図４のメインメモリ１１内に有る「ＣＣＣ．ｄａｔ」のデータをＤＶＤレコーダー４に記録可能なフォーマットに変換して、図２ａのＤＶＤ Ｉ／Ｆ回路２０経由でＤＶＤレコーダー４に記録する。
【００５５】
このように、記録ビットレートを上げてＨＤＤに記録したい画像・音声データは重要なデータと考えられるので、上述したような制御を行なえば、重要な画像・音声データを自動でＤＶＤにバックアップすることができる。なお、記録ビットレートを下げて記録すればＨＤＤに記録するデータ量を削減できるが、一度データ量を削減して画質・音質が悪化したデータ（ファイル）はオリジナルの画質・音質に戻せない。
【図面の簡単な説明】
【００５６】
【図１】本発明の実施形態に係るディスク記録再生装置をパソコンに適用する場合の全体構成を示す図である。
【図２ａ】本実施形態に係るディスク記録再生装置内におけるディスク制御回路の第１の構成例を示す図である。
【図２ｂ】本実施形態に係るディスク記録再生装置内におけるディスク制御回路の第２の構成例を示す図である。
【図２ｃ】本実施形態に係るディスク記録再生装置内におけるディスク制御回路の第３の構成例を示す図である。
【図２ｄ】本実施形態に係るディスク記録再生装置内におけるディスク制御回路の第４の構成例を示す図である。
【図３】本実施形態に関するＨＤＤ上の管理情報とユーザーデータ記録領域との一般的な関係を示す説明図である。
【図４】本発明の実施形態に係るディスク記録再生装置をＨＤＤ・ＤＶＤレコーダーに適用する場合の全体構成を示す図である。
【符号の説明】
【００５７】
０  パソコン
０ａ  ＨＤＤ・ＤＶＤレコーダー
１  一時記憶・演算装置
２  ディスク制御回路
３  ＨＤＤ
４  ＤＶＤレコーダー
５  データバス
６  チューナー
１０  ＣＰＵ  
１１  メインメモリ
１２  Ｉ／Ｏ制御回路
２０  ＤＶＤ Ｉ／Ｆ回路
２１  ＨＤＤ Ｉ／Ｆ回路
２２  ＤＶＤディスク挿入判別回路
２３  主制御回路
２３０  ＦＡＴ領域データ記憶用メモリ
２３１  ＤＩＲ領域データ記憶用メモリ
２３２  ファイル名記憶用メモリ
２３３  更新時間記憶用メモリ
２３４  ファイル更新回数カウンタ・メモリ
２３５  バックアップファイル判定回路
２３６  データ圧縮率記憶用メモリ
３０  管理情報記録領域
３１  ユーザーデータ記録領域
【図１】
2006209848.tif 000003
【図２ａ】
2006209848.tif 000004
【図２ｂ】
2006209848.tif 000005
【図２ｃ】
2006209848.tif 000006
【図２ｄ】
2006209848.tif 000007
【図３】
2006209848.tif 000008
【図４】
2006209848.tif 000009